(57)【特許請求の範囲】
【請求項１】
静止部と、
前記静止部に対し上下に延びる中心軸を中心に回転する回転部と、を備え、
前記静止部は、
環状のコアバックと前記コアバックから径方向外側に延びる複数のティース部とを有するステータコア、および前記複数のティース部に巻かれたコイルを有するステータ部と、
前記コアバックの内側面に圧入される外側面と、を有し、
前記コイルを構成する巻線は、
前記コイル同士を接続する渡り線と、  前記コイルから引き出され、前記ティース部の上面側から下面側に引き出される引出線と、を含み、
前記渡り線は、隣り合う前記ティース部の上面側のみを通る第１線部を有し、
前記渡り線および前記引出線は、前記コアバックの内側面よりも径方向外側に位置し、
少なくとも前記コアバックの上面に位置する固定部材を有し、
前記固定部材は、樹脂材料であり、前記渡り線の少なくとも一部、および前記引出線の少なくとも一部を前記ステータコアに固定し、
前記第１線部の少なくとも一部は、前記コアバックの外側面よりも径方向外側に位置し、
前記固定部材は、前記コアバックの外側面と前記第１線部との隙間の少なくとも一部に介在する、
スピンドルモータ。
【請求項２】
前記引出線は、前記ティース部の径方向内端部において上面側から下面側へ引き出され、
前記固定部材は、前記コイルの径方向内端部を前記ステータコアに固定する、
請求項１に記載のスピンドルモータ。
【請求項３】
前記渡り線は、隣り合う前記ティース部の上面側と下面側とに亘って延び且つ前記ティース部の下面側を通る第２線部を有し、
前記固定部材は、前記第１線部の少なくとも一部を前記ステータコアに固定する、
請求項１または２に記載のスピンドルモータ。
【請求項４】
前記固定部材は、前記コアバックの上面から前記コアバックの外側面まで達し、
前記コアバックの上面に位置する前記固定部材の高さは、前記コイルの上端部の高さよりも低い、
請求項３に記載のスピンドルモータ。
【請求項５】
前記第１線部は、前記コアバックの外側面よりも径方向外側に配置される角部を有する、
請求項１に記載のスピンドルモータ。
【請求項６】
前記固定部材は、シート状部品を含み、
前記シート状部品は、前記コアバックの上面、および前記渡り線に密着する、
請求項１から３のいずれか一項に記載のスピンドルモータ。
【請求項７】
前記静止部は、ベース部を有し、  前記ベース部は、前記中心軸の軸方向に延びる筒状の円筒部を有し、
前記円筒部は、前記外側面を有する、
請求項１から６のいずれか一項に記載のスピンドルモータ。
【請求項８】
前記静止部は、ベース部と、前記ベース部に固定されたシャフトと、を有し、
前記シャフトは、前記中心軸の軸方向に延びると共に、前記外側面を有する、
請求項１から６のいずれか一項に記載のスピンドルモータ。
【請求項９】
請求項１から８のいずれか一項に記載のスピンドルモータと、
前記スピンドルモータに支持されたディスクと、
前記ディスクに対して情報の読み出し、および書き込みの少なくともいずれか一方を行うアクセス部と、を備える、
ディスク駆動装置。
【発明の詳細な説明】
【技術分野】
【０００１】
本発明は、スピンドルモータ、およびディスク駆動装置に関する。
【背景技術】
【０００２】
ハードディスクドライブなどのディスク駆動装置は、記録ディスクを回転させるスピンドルモータを備える。特許文献１に記載されたステータコアアセンブリーは、固定部材に挿入されて結合されるコアバックと、上記コアバックから突設しコイルが巻回される少なくとも１つのティース部と、を含む。コイルの渡り線は、コアバックに配置される。ティース部に巻回された後の引き出し線は、ティース部の軸方向下部を通る。
【先行技術文献】
【特許文献】
【０００３】
【特許文献１】特開２０１２−１６５６２８号公報
【発明の概要】
【発明が解決しようとする課題】
【０００４】
特許文献１のコイルは、ティース部に反時計回りにｍ回巻回される。その後、引き出し線は、ティース部の軸方向下部に引き出される。引き出し線がゆるんでしまうと、引き出し線がコイルより上方に位置し、引き出し線が回転部材と接触してしまう。引き出し線が回転部材に接触してしまうと、引き出し線が損傷し、さらには断線してしまう虞がある。
また、特許文献１の渡り線は、コアバックに配置される。渡り線がコアバックの内側領域に位置すると、ステータコアアセンブリーを固定部材に結合しようとする際、渡り線を噛み込んでしまう虞がある。
【０００５】
本発明の一つの態様は、コイルの引き出し線および渡り線が移動することを抑制できるスピンドルモータ、およびディスク駆動装置を提供することを目的の一つとする。
【課題を解決するための手段】
【０００６】
本開示の一態様によれば、静止部と、前記静止部に対し上下に延びる中心軸を中心に回転する回転部と、を備え、前記静止部は、環状のコアバックと前記コアバックから径方向外側に延びる複数のティース部とを有するステータコア、および前記複数のティース部に巻かれたコイルを有するステータ部と、前記コアバックの内側面に圧入される外側面と、を有し、前記コイルを構成する巻線は、前記コイル同士を接続する渡り線と、前記コイルから引き出され、前記ティース部の上面側から下面側に引き出される引出線と、を含み、前記渡り線および前記引出線は、前記コアバックの内側面よりも径方向外側に位置し、少なくとも前記コアバックの上面に位置する固定部材を有し、前記固定部材は、前記渡り線の少なくとも一部、および前記引出線の少なくとも一部を前記ステータコアに固定する、スピンドルモータが提供される。
【発明の効果】
【０００７】
本開示の一態様によれば、コイルの引出線および渡り線が移動することを抑制できるスピンドルモータ、およびディスク駆動装置を提供できる。
【図面の簡単な説明】
【０００８】
【図１】好ましい実施形態におけるスピンドルモータを備えるディスク駆動装置を示す縦断面図である。
【図２】好ましい実施形態におけるステータ部を示す平面図である。
【図３】好ましい実施形態における巻線の巻きパターンを示す図である。
【図４】好ましい実施形態における固定部材を示す縦断面図である。
【図５】好ましい実施形態における固定部材を示す平面拡大図である。
【図６】好ましい実施形態の一変形例における固定部材を示す縦断面図である。
【図７】好ましい実施形態の一変形例における巻線の巻きパターンを示す図である。
【図８】好ましい他の実施形態におけるスピンドルモータを示す縦断面図である。
【発明を実施するための形態】
【０００９】
以下、図面を参照しながら、好ましい実施形態について説明する。なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等と、を異ならせる場合がある。
【００１０】
以下の図面においては、適宜３次元直交座標系としてＸＹＺ座標系を示す。ＸＹＺ座標系において、Ｚ軸方向は、図１に示す上下方向に延びる中心軸Ｊと平行な方向とする。Ｙ軸方向は、Ｚ軸に直交する方向とする。Ｘ軸方向は、Ｚ軸、およびＹ軸に直交する方向とする。なお、「平行な方向」とは略平行な方向も含む。また、「直交」とは、略直交も含む。
【００１１】
また、以下の説明においては、Ｚ軸方向の正の側（＋Ｚ側）を「上側」と記し、Ｚ軸方向の負の側（−Ｚ側）を「下側」と記す。なお、上下方向は、実際の機器に組み込まれたときの位置関係や方向を示すものではない。また、以下の説明においては、中心軸Ｊを基準に位置関係や位置を規定する。特に断りのない限り、中心軸Ｊと平行な方向（Ｚ軸方向）を単に「軸方向」と記し、中心軸Ｊを中心とする径方向を単に「径方向」と記し、中心軸Ｊを中心とする周方向を単に「周方向」と記す。
【００１２】
図１は、好ましい実施形態におけるスピンドルモータ１を備えるディスク駆動装置１００を示す縦断面図である。
ディスク駆動装置１００は、ハードディスクドライブである。ディスク駆動装置１００は、スピンドルモータ１と、ディスク１０１と、アクセス部１０２と、を有する。スピンドルモータ１は、情報を記録するディスク１０１を中心軸Ｊ周りに回転させる。アクセス部１０２は、ディスク１０１に対して情報の読み出しおよび書き込みの少なくともいずれか一方を行う。
【００１３】
ディスク駆動装置１００は、ハウジング１０３を有する。ハウジング１０３は、スピンドルモータ１のベース部４０と、カバー部材１０４と、を含む。ベース部４０の開口にカバー部材１０４が嵌められて、ハウジング１０３が構成される。ハウジング１０３には、ディスク１０１およびアクセス部１０２が収容される。ハウジング１０３には、例えば、ヘリウムガスが充填されている。なお、ハウジング１０３には、水素ガス、空気等が充填されていてもよい。
【００１４】
ディスク駆動装置１００は、ディスク１０１を複数有する。ディスク駆動装置１００は、ディスク１０１の間に配置されるスペーサ１０５を有する。複数のディスク１０１は、スピンドルモータ１に支持される。具体的には、スピンドルモータ１の回転部１０に支持される。回転部１０は、複数のディスク１０１を支持するクランプ部材１１を有する。ディスク駆動装置１００は、クランプ部材１１とディスク１０１との間に配置されるスペーサ１０６を有する。複数のディスク１０１は、回転部１０と共に中心軸Ｊ周りに回転する。
【００１５】
アクセス部１０２は、ヘッド１０７と、アーム１０８と、ヘッド移動機構１０９と、を有する。ヘッド１０７は、ディスク１０１の表面に接近して情報の読み出しおよび書き込みの少なくともいずれか一方を磁気的に行う。ヘッド１０７は、アーム１０８に支持される。アーム１０８は、ヘッド移動機構１０９に支持される。
【００１６】
スピンドルモータ１は、静止部２と、静止部２に対して上下に延びる中心軸Ｊを中心に回転する回転部１０と、を有する。静止部２は、後述する外側面４１ｂと、軸受部２０のシャフト２１と、ステータ部３０と、ベース部４０と、配線基板５０と、を有する。回転部１０は、軸受部２０のスリーブ２２と、クランプ部材１１と、ロータハブ１２と、ロータマグネット１３と、を有する。
【００１７】
軸受部２０は、ロータハブ１２を中心軸Ｊ周りに回転可能に支持する。軸受部２０は、シャフト２１と、スリーブ２２と、を有する。シャフト２１は、ベース部４０に対して固定される。シャフト２１とスリーブ２２とは、隙間を介し対向する。隙間には、潤滑油または気体が介在する。
【００１８】
ステータ部３０は、コイル３１と、ステータコア３２と、を有する。コイル３１は、ロータマグネット１３と隙間を介し対向する。ステータコア３２は、磁性体を複数積層した積層構造体である。ステータコア３２は、環状のコアバック３３と、複数のティース部３４と、を有する。複数のティース部３４は、コアバック３３から径方向外側に延びる。複数のティース部３４には、コイル３１が巻かれる。
【００１９】
ベース部４０は、上面４０Ａと下面４０Ｂとを有する。ベース部４０は、ステータ部３０を上面４０Ａに支持する。上面４０Ａは、ハウジング１０３の内側を向く面である。ベース部４０は、円筒部４１と、ベース部貫通孔４２と、を有する。円筒部４１は、ベース部４０の上面４０Ａに配置される。円筒部４１は、好ましくは軸方向に延びる筒状である。前述の通り静止部２は外側面４１ｂを有し、より具体的には円筒部４１は、コアバック３３の内側面３３ａに圧入される外側面４１ｂを有する。外側面４１ｂを構成する静止部２の壁面は、以下、円筒部４１の外側面４１ｂと記す。なお、円筒部４１は、筒状に限らず、例えば多角形状等でもよい。また、内側面３３ａは、環状の周面に限らず、例えば多角形状等でもよい。
【００２０】
ベース部貫通孔４２は、ベース部４０の上面４０Ａと下面４０Ｂとを連通する。下面４０Ｂは、ハウジング１０３の外側を向く面である。ベース部貫通孔４２には、コイル３１の引出線６２が通される。スピンドルモータ１は、ベース部貫通孔４２と引出線６２との間を充填する封止材４３を有する。配線基板５０は、ベース部４０の下面４０Ｂに配置される。配線基板５０は、ベース部貫通孔４２を通って下面４０Ｂに引き出された引出線６２と接続される。
【００２１】
図２は、好ましい実施形態におけるステータ部３０を示す平面図である。
ステータ部３０は、９つのティース部３４を有する。コイル３１は、９つのティース部３４に３つずつ巻かれた３つのコイル群により構成される。３つのコイル群は、それぞれＵ相群、Ｖ相群、Ｗ相群である。Ｕ相群を構成するコイル３１は、以下、コイル３１Ｕと記す。Ｖ相群を構成するコイル３１は、以下、コイル３１Ｖと記す。Ｗ相群を構成するコイル３１は、以下、コイル３１Ｗと記す。
【００２２】
３つのコイル群は、それぞれ１本の巻線６０が複数のコイル３１となる。巻線６０は、絶縁被膜を有するエナメル線である。巻線６０は、渡り線６１と、引出線６２と、を含む。巻線６０は、ティース部３４に対し巻かれる。巻線６０がティース部３４に対し軸方向に多層状に構成されることで、コイル３１となる。巻線６０は、ティース部３４の径方向内端部３４ａから巻き始められる。巻線６０は、ティース部３４の径方向内端部３４ａから径方向外側に向かって巻かれた後、再び径方向内端部３４ａに向かって巻かれる。巻線６０は、ティース部３４の径方向内端部３４ａ近傍において巻き終わる。したがって、巻線６０は、好ましくはティース部３４に対し偶数層に巻かれ、例えば４層である。引出線６２は、コアバック３３の内側面３３ａよりも径方向外側に位置する。引出線６２は、コイル３１から引き出され、後述の図３に示すように、ティース部３４の上面３４Ａ側から下面３４Ｂ側に引き出される。また、引出線６２は、ティース部３４の径方向内端部３４ａにおいて、ティース部３４の上面３４Ａ側から下面３４Ｂ側へ引き出される。
【００２３】
コイル３１を構成する巻線６０のうち、コイル３１Ｕを構成する巻線６０は、以下、巻線６０Ｕと記す。コイル３１Ｖを構成する巻線６０は、以下、巻線６０Ｖと記す。コイル３１Ｗを構成する巻線６０は、以下、巻線６０Ｗと記す。巻線６０Ｕの一方の端部は、引出線６２Ｕとして引き出される。また、巻線６０Ｖの一方の端部は、引出線６２Ｖとして引き出される。また、巻線６０Ｗの一方の端部は、引出線６２Ｗとして引き出される。
【００２４】
巻線６０Ｕ，６０Ｖ，６０Ｗの他方の端部は、１本に寄り合わされてコモン線として引き出される。以下、コモン線は、引出線６２Ｃとして記す。このように、４本の引出線６２が、ステータコア３２から引き出される。４本の引出線６２は、それぞれ異なるスロットから引き出される。隣り合うティース部３４の間には、スロットＳ１〜Ｓ９がある。引出線６２Ｕは、スロットＳ１から引き出される。引出線６２Ｖは、スロットＳ２から引き出される。引出線６２Ｗは、スロットＳ３から引き出される。引出線６２Ｃは、スロットＳ９から引き出される。
【００２５】
図３は、好ましい実施形態における巻線６０の巻きパターンを示す図である。図３は、環状のステータコア３２を直線状に展開した図である。また、以下の説明においては、図３に示すティース部３４に番号を付して説明する。図３に示すように、１番目から９番目のティース部３４に、符号Ｔ１から符号Ｔ９を付す。
図３に示すように、巻線６０Ｕは、１番目のティース部３４と、４番目のティース部３４と、７番目のティース部３４と、に巻かれる。
【００２６】
コイル３１同士を接続する渡り線６１は、第１線部６３と、第２線部６４と、を有する。第１線部６３は、隣り合うティース部３４の上面３４Ａ側のみを通る。第２線部６４は、隣り合うティース部３４の上面３４Ａ側と下面３４Ｂ側とに亘って延び、且つティース部３４の下面側を通る。巻線６０Ｕは、１番目のティース部３４のコイル３１Ｕと、４番目のティース部３４のコイル３１Ｕと、を接続する渡り線６１Ｕを有する。渡り線６１Ｕの第２線部６４Ｕは、１番目のティース部３４の上面３４Ａ側から始まる。
【００２７】
第２線部６４Ｕは、スロットＳ２を通る。スロットＳ２を通った第２線部６４Ｕは、２番目のティース部３４の下面３４Ｂ側を通る。２番目のティース部３４の下面３４Ｂ側を通った第２線部６４Ｕは、スロットＳ３を通る。スロットＳ３を通った第２線部６４Ｕは、３番目のティース部３４の上面３４Ａ側に至る。渡り線６１Ｕの第１線部６３Ｕは、３番目のティース部３４の上面３４Ａ側から始まる。第１線部６３Ｕは、３番目のティース部３４の上面３４Ａ側から、４番目のティース部３４の上面３４Ａ側に至る。
【００２８】
また、巻線６０Ｕは、４番目のティース部３４のコイル３１Ｕと、７番目のティース部３４のコイル３１Ｕと、を接続するもう一つの渡り線６１Ｕを有する。もう一つの渡り線６１Ｕの第２線部６４Ｕは、４番目のティース部３４の上面３４Ａ側から始まる。第２線部６４Ｕは、スロットＳ５を通る。スロットＳ５を通った第２線部６４Ｕは、５番目のティース部３４の下面３４Ｂ側を通る。５番目のティース部３４の下面３４Ｂ側を通った第２線部６４Ｕは、スロットＳ６を通る。スロットＳ６を通った第２線部６４Ｕは、６番目のティース部３４の上面３４Ａ側に至る。
【００２９】
渡り線６１Ｕの第１線部６３Ｕは、６番目のティース部３４の上面３４Ａ側から始まる。第１線部６３Ｕは、６番目のティース部３４の上面３４Ａ側から、７番目のティース部３４の上面３４Ａ側に至る。引出線６２Ｃを構成する巻線６０Ｕの他方の端部は、７番目のティース部３４の上面３４Ａ側から下面３４Ｂ側に引き出される。引出線６２Ｃを構成する巻線６０Ｕの他方の端部は、以下、巻線６０Ｕの引出線６２Ｃと記す。引出線６２Ｃは、スロットＳ８を通る。
【００３０】
スロットＳ８を通った引出線６２Ｃは、８番目のティース部３４の下面３４Ｂ側を通る。８番目のティース部３４の下面３４Ｂ側を通った引出線６２Ｃは、スロットＳ９の下方で、１本のコモン線として寄り合わされる。一方、引出線６２Ｕを構成する巻線６０Ｕの一方の端部は、１番目のティース部３４の上面３４Ａ側から下面３４Ｂ側に引き出される。引出線６２Ｕは、スロットＳ１を通る。
【００３１】
巻線６０Ｖの巻きパターンは、巻線６０Ｕの巻きパターンと略同じである。図３に示すように、巻線６０Ｖは、１番目のティース部３４のコイル３１Ｕのとなりである、２番目のティース部３４に巻かれる。巻線６０Ｖは、２番目のティース部３４のコイル３１Ｖと５番目のティース部３４のコイル３１Ｖとの間、および５番目のティース部３４のコイル３１Ｖと８番目のティース部３４のコイル３１Ｖとの間に、渡り線６１Ｖを有する。
【００３２】
引出線６２Ｃを構成する巻線６０Ｖの他方の端部は、８番目のティース部３４の上面３４Ａ側から下面３４Ｂ側に引き出される。引出線６２Ｃを構成する巻線６０Ｖの他方の端部は、以下、巻線６０Ｖの引出線６２Ｃと記す。引出線６２Ｃは、スロットＳ９を通る。スロットＳ９を通った引出線６２Ｃは、スロットＳ９の下方で、１本のコモン線として寄り合わされる。一方、引出線６２Ｖを構成する巻線６０Ｖの一方の端部は、２番目のティース部３４の上面３４Ａ側から下面３４Ｂ側に引き出される。引出線６２Ｖは、スロットＳ２を通る。その他の構成は、巻線６０Ｕの巻きパターンと同じである。
【００３３】
また、巻線６０Ｗの巻きパターンは、巻線６０Ｕ，６０Ｖの巻きパターンと略同じである。図３に示すように、巻線６０Ｗは、２番目のティース部３４のコイル３１Ｖのとなりである、３番目のティース部３４に巻かれる。巻線６０Ｗは、３番目のティース部３４のコイル３１Ｗと６番目のティース部３４のコイル３１Ｗとの間、および６番目のティース部３４のコイル３１Ｗと９番目のティース部３４のコイル３１Ｗとの間に、渡り線６１Ｗを有する。
【００３４】
引出線６２Ｃを構成する巻線６０Ｗの他方の端部は、９番目のティース部３４の上面３４Ａ側から下面３４Ｂ側に引き出される。引出線６２Ｃを構成する巻線６０Ｗの他方の端部は、以下、巻線６０Ｗの引出線６２Ｃと記す。引出線６２Ｃは、スロットＳ１を通る。スロットＳ１を通った引出線６２Ｃは、９番目のティース部３４の下面３４Ｂ側を通る。９番目のティース部３４の下面３４Ｂ側を通った引出線６２Ｃは、スロットＳ９の下方で、１本のコモン線として寄り合わされる。一方、引出線６２Ｗを構成する巻線６０Ｗの一方の端部は、３番目のティース部３４の上面３４Ａ側から下面３４Ｂ側に引き出される。引出線６２Ｗは、スロットＳ３を通る。その他の構成は、巻線６０Ｕ、６０Ｖの巻きパターンと同じである。
【００３５】
図２に示すように、渡り線６１は、コアバック３３の内側面３３ａよりも径方向外側に位置する。渡り線６１の第２線部６４は、隣り合うティース部３４の上面３４Ａ側から下面３４Ｂ側へと延び、また別の隣り合うティース部３４の下面３４Ｂ側から上面３４Ａ側へと延びる。そのため、第２線部６４は、コアバック３３の外側面３３ｂよりも径方向外側に位置する。一方、渡り線６１の第１線部６３の少なくとも一部は、コアバック３３の外側面３３ｂよりも径方向外側に位置する。第１線部６３の残りの部分は、コアバック３３の上面３３ｃに位置する。
【００３６】
第１線部６３は、隣り合うティース部３４の上面３４Ａ側のみを通るため、第２線部６４のようにティース部３４の下面３４Ｂ側を通ることは無い。例えば、第１線部６３Ｕが、６番目のティース部３４から７番目のティース部３４に延びると、コアバック３３の内側面３３ａに近づく。好ましい実施形態では、第１線部６３は、コアバック３３の外側面３３ｂよりも径方向外側に配置される角部６５を有する。角部６５は、鈍角で屈曲する。角部６５は、スロットに位置する。
【００３７】
角部６５によって、第１線部６３の一部が、コアバック３３の外側面３３ｂよりも径方向外側に位置する。よって、第１線部６３がコアバック３３の内側面３３ａよりも径方向外側に配置される。第１線部６３とコアバック３３の外側面３３ｂとの間には、巻線６０を巻く際、スロットに位置する部位には、不図示の巻き冶具が配置される。巻き冶具は、好ましくは軸方向に延びる棒状である。６番目のティース部３４を通った第１線部６３は、巻き治具の外表面に接触しながら、７番目のティース部３４へ延びる。そして７番目のティース部３４に達した巻線６０は、７番目のティース部３４に巻かれる。巻線６０が巻き終わり、巻き冶具を軸方向に抜くと、角部６５を有する第１線部６３が形成される。
【００３８】
静止部２は、図２に示すように、固定部材７０を有する。固定部材７０は、少なくともコアバック３３の上面３３ｃに位置する。固定部材７０は、渡り線６１の少なくとも一部、および引出線６２の少なくとも一部をステータコア３２に固定する。固定部材７０は、コアバック３３の上面３３ｃの略全域に配置される。なお、固定部材７０は、コアバック３３の内側面３３ａから所定の距離をあけて配置してもよい。例えば、固定部材７０は、コアバック３３の上面３３ｃの径方向外側半分の領域に配置してもよい。
【００３９】
図４は、好ましい実施形態における固定部材７０を示す縦断面図である。図４は、図２の矢視Ａ−Ａ断面である。
固定部材７０は、好ましくは樹脂材料である。固定部材７０は、例えば熱硬化型の接着剤である。固定部材７０は、コアバック３３の上面３３ｃからコアバック３３の外側面３３ｂまで達する。コアバック３３の上面３３ｃに位置する固定部材７０の高さは、コイル３１の上端部３１ａの高さよりも低い。図１に示すように、回転部１０の高さを低くできる。よって、スピンドルモータ１の装置全体を小型化できる。なお、接着剤は、熱硬化型の接着剤に限らず、例えば紫外線硬化型の接着剤でもよい。
【００４０】
固定部材７０は、図４に示すように、コイル３１の径方向内端部３１ｂをステータコア３２に固定する。固定部材７０は、ティース部３４、およびコイル３１の径方向内端部３１ｂに密着する。図２に示すように、例えば、１番目のティース部３４に巻かれたコイル３１Ｕの径方向内端部３１ｂは、引出線６２Ｕに連なる。引出線６２Ｕは、コイル３１Ｕの径方向内端部３１ｂを介してステータコア３２に固定される。よって、引出線６２Ｕのゆるみを抑制できる。
引出線がゆるむと、引出線がコイルより上方に位置してしまい、引出線が回転部に接触してしまう虞がある。しかし、引出線６２Ｕのゆるみを抑制することで、引出線６２Ｕが回転部１０に接触することを防止できる。したがって、引出線６２Ｕの損傷および断線を防止できる。なお、他の引出線６２Ｖ，６２Ｗ，６２Ｃにおいても同様にゆるみを抑制できる。
【００４１】
また、固定部材７０は、図４に示すように、第１線部６３の少なくとも一部をステータコア３２に固定する。固定部材７０は、コアバック３３の上面３３ｃに位置する第１線部６３を固定する。すなわち、固定部材７０は、コアバック３３の上面３３ｃ、および第１線部６３に密着する。よって、第１線部６３がコアバック３３の上面３３ｃの内側へ移動することを抑制できる。したがって、第１線部６３の移動によって、ステータコア３２を円筒部４１に圧入する際、圧入用治具に第１線部６３が接触する噛み込みを抑制できる。また、固定部材７０は、コアバック３３の外側面３３ｂよりも径方向外側に位置する第１線部６３を固定する。
【００４２】
図５は、好ましい実施形態における固定部材７０を示す平面拡大図である。
図５に示すように、第１線部６３の少なくとも一部は、コアバック３３の外側面３３ｂよりも径方向外側に位置する。固定部材７０は、コアバック３３の外側面３３ｂと、外側面３３ｂよりも径方向外側に位置する第１線部６３と、の隙間７２の少なくとも一部に介在する。固定部材７０は、樹脂材料であり、隙間７２に薄い膜７３が介在する。固定部材７０の膜７３は、コアバック３３の外側面３３ｂと第１線部６３と隣接部分に介在する。第１線部６３の角部６５によって、第１線部６３がコアバック３３の外側面３３ｂから徐々に径方向外側に延びるため、固定部材７０は表面張力により隙間７２に保持され易い。
【００４３】
固定部材７０は、図４に示すように、コアバック３３の上面３３ｃ、コアバック３３の外側面３３ｂ、および第１線部６３と密着する。よって、コアバック３３の外側面３３ｂよりも径方向外側に配置される第１線部６３が径方向内側へ移動することを抑制できる。また、第２線部６４よりも移動し易い第１線部６３は、図２に示すように、上側（＋Ｚ側）に位置する。このため、少なくともコアバック３３の上面３３ｃに位置する固定部材７０によって、第１線部６３を一括で固定できる。また、固定部材７０を設ける範囲を限定できる。例えば、固定部材７０は、図４に示すように、コアバック３３の内側面３３ａ、およびコアバック３３の下面３３ｄには配置する必要がない。よって、作業性が高まる。
【００４４】
以上のように、固定部材７０は、渡り線６１の少なくとも一部、および引出線６２の少なくとも一部をステータコア３２に固定する。このため、コイル３１の引出線６２および渡り線６１が移動することを抑制できる。具体的には、渡り線６１が、コアバック３３の上面３３ｃの内側へ移動することを抑制できる。したがって、渡り線６１の移動によって、ステータコア３２を円筒部４１に圧入する際、圧入用治具に渡り線６１が接触する噛み込みを抑制できる。また、引出線６２のゆるみを抑制できる。したがって、引出線６２が回転部１０に接触することを防止できる。そして、引出線６２の損傷および断線を防止できる。また、固定部材７０がステータコア３２の上側に位置するため、ステータコア３２の圧入方向後方側に、渡り線６１および引出線６２を固定できる。また、引出線６２をベース部貫通孔４２に配置した際などに、引出線６２を下側から上側に押し上げても、固定部材７０により引出線６２のゆるみを抑制できる。
【００４５】
なお、好ましい実施形態においては、以下の構成を採用することもできる。以下の説明において、上述の好ましい実施形態と同一又は同等の構成については同一の符号を付し、その説明を簡略または省略する。
【００４６】
図６は、好ましい実施形態の一変形例における固定部材７０Ａを示す縦断面図である。
固定部材７０Ａは、図６に示すように、シート状部品を含む。シート状部品は、好ましくは環状である。シート状部品は、熱可塑性樹脂材料である。シート状部品を加熱すると、シート状部品が軟化し、コアバック３３の上面３３ｃ、および渡り線６１に沿って変形する。シート状部品が変形することで、シート状部品は、コアバック３３の上面３３ｃ、および渡り線６１に密着する。シート状部品によって、渡り線６１の第１線部６３が内側へ移動することを抑制できる。また、第１線部６３の移動による渡り線６１の噛み込みを抑制できる。また、シート状部品によって、図示しない引出線６２が、渡り線６１と共に固定される。引出線６２が固定されることによって、引出線６２のゆるみを抑制できる。したがって、引出線６２が回転部１０に接触することを防止できる。そして、引出線６２の損傷および断線を防止できる。
なお、渡り線６１はシート状部品によって固定され、図示しない引出線６２は、接着剤で固定されてもよい。また、シート状部品は、環状に限らず、様々な形状が可能である。また、シート状部品は、１個に限らず、複数個でも良い。
【００４７】
図７は、好ましい実施形態の一変形例における巻線６０Ａの巻きパターンを示す図である。
巻線６０Ａの巻きパターンでは、図７に示すように、巻線６０Ｕは、３番目のティース部３４から巻き始められる。巻線６０Ｕは、９番目のティース部３４で巻き終わる。引出線６２Ｃは、スロットＳ１を通る。スロットＳ１を通った引出線６２Ｃは、９番目のティース部３４の下面３４Ｂ側から、８番目のティース部３４の下面３４Ｂ側に戻る。８番目のティース部３４の下面３４Ｂ側に戻った引出線６２Ｃは、スロットＳ８を通る。スロットＳ８を通った引出線６２Ｃは、８番目のティース部３４の上面３４Ａ側を通る。８番目のティース部３４の上面３４Ａ側を通った引出線６２Ｃは、スロットＳ９を通る。スロットＳ９を通った引出線６２Ｃは、スロットＳ９の下方で、１本のコモン線として寄り合わされる。
【００４８】
また、巻線６０Ｖは、２番目のティース部３４から巻き始められる。巻線６０Ｖは、８番目のティース部３４で巻き終わる。引出線６２Ｃは、スロットＳ９を通る。スロットＳ９を通った引出線６２Ｃは、スロットＳ９の下方で、１本のコモン線として寄り合わされる。
また、巻線６０Ｗは、１番目のティース部３４から巻き始められる。巻線６０Ｗは、７番目のティース部３４で巻き終わる。引出線６２Ｃは、７番目のティース部３４の上面３４Ａ側から、８番目のティース部３４の上面３４Ａ側に至る。引出線６２Ｃは、スロットＳ９を通る。スロットＳ９を通った引出線６２Ｃは、スロットＳ９の下方で、１本のコモン線として寄り合わされる。
巻線６０Ａの巻きパターンによれば、巻線６０Ｕ，６０Ｖ，６０Ｗの引出線６２Ｃを、スロットＳ９を通して寄り合わせることができる。
【００４９】
図８は、好ましい他の実施形態におけるスピンドルモータ１Ａを示す縦断面図である。
スピンドルモータ１Ａの静止部２は、図８に示すように、外側面４１ｂと、ベース部４０と、シャフト２１Ｂと、有する。シャフト２１Ｂは、ベース部４０に固定されている。シャフト２１Ｂは、軸方向に延びる。シャフト２１Ｂは、ベース部４０に固定されるネジ部８１と、ネジ部８１の上側に位置するスラストプレート８２と、ネジ部８１とスラストプレート８２との間に位置するステータコア支持部８３と、を有する。シャフト２１Ｂと、スリーブ２２Ｂ１，２２Ｂ２は、軸受部２０Ｂを構成する。
【００５０】
スリーブ２２Ｂ１は、ステータコア支持部８３よりも上側に位置する。スリーブ２２Ｂ１は、ロータハブ１２に嵌め込まれる。また、スリーブ２２Ｂ１には、スラストプレート８２の上面と対向するスラストブッシュ２３が固定される。一方、スリーブ２２Ｂ２は、ステータコア支持部８３よりも下側に位置する。スリーブ２２Ｂ２は、接着剤８４によってロータハブ１２に固定されている。
【００５１】
シャフト２１Ｂとスリーブ２２Ｂ１，２２Ｂ２とは、隙間を介し対向する。隙間には、潤滑油または気体が介在する。また、ロータハブ１２とロータマグネット１３の間に、磁路となるヨーク１４を有する。シャフト２１Ｂは、軸方向に延びると共に、外側面４１ｂを有する。コアバック３３の内側面３３ａは、シャフト２１Ｂの外側面４１ｂに圧入される。
【００５２】
固定部材７０は、接着剤、シート状部品に限らず、例えば、キャップ状部品を含む構成であってもよい。
【００５３】
なお、上記説明した各構成は、相互に矛盾しない範囲内において、適宜組み合わせることができる。
【符号の説明】
【００５４】
１，１Ａ…スピンドルモータ、２…静止部、１０…回転部、２１Ｂ…シャフト、３０…ステータ部、３１…コイル、３１ｂ…径方向内端部、３２…ステータコア、３３…コアバック、３３ａ…内側面、３３ｂ…外側面、３３ｃ…上面、３４…ティース部、３４ａ…径方向内端部、４１…円筒部、４１ｂ…外側面、６０，６０Ａ…巻線、６１…渡り線、６２…引出線、６３…第１線部、６４…第２線部、６５…角部、７０，７０Ａ…固定部材、７２…隙間、１００…ディスク駆動装置、１０１…ディスク、１０２…アクセス部、Ｊ…中心軸
【図１】
0006515533.tif 000002
【図２】
0006515533.tif 000003
【図３】
0006515533.tif 000004
【図４】
0006515533.tif 000005
【図５】
0006515533.tif 000006
【図６】
0006515533.tif 000007
【図７】
0006515533.tif 000008
【図８】
0006515533.tif 000009